【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
次の構造：
【化１】
2018529011.tif 000001
［式中、ＲおよびＲ1は、同じであっても異なっていてもよく、それぞれ、独立に、アルキルまたはアリール基を表し、Ｘは、水素であっても、分岐状または直鎖であり得るＣ1−Ｃ20アルキル基であってもよく、ポリマーＢに接合した芳香族環置換基は、ポリマーＡに接合した芳香族環置換基に対してメタまたはパラの位置にあり、ポリマーＡは、メタロセン触媒作用によって生成された非極性ポリマーであり、ポリマーＢは、極性モノマーのラジカル触媒作用によって生成されたポリマーである］
を有する材料の、ポリマーへの添加剤としての使用。
【請求項２】
ｉ）ポリマーＡが、エチレンより高級な１−アルケンコモノマーが共重合されていてもよい、エチレン性構造単位の鎖を含み、
ｉｉ）ポリマーＢが、スチレン、置換スチレン、不飽和エステル、例えば、アクリレート、メタクリレート、およびジエン化合物、およびビニルエステル、フマレートエステル、イタコネートエステル、無水マレイン酸、ならびにこれらの誘導体から選択される、１種または複数のα，β−不飽和モノマーから誘導され、ポリマーＢは、このような不飽和モノマーと、アルケンとの、例えば、Ｃ2−Ｃ8、好ましくはＣ2−Ｃ6アルケンとの、コポリマーを含んでいてもよい、
請求項１に記載の使用。
【請求項３】
ポリマー材料の混合物における相溶化剤としての、または、表面活性／界面活性剤としての、請求項１または２に記載の使用。
【請求項４】
ｉ）ポリマーＡが、エチレンより高級な１−アルケンコモノマーに由来する１種または複数の構造単位が介在していてもよい、エチレン性構造単位の鎖を含み、
ｉｉ）ポリマーＢが、スチレン、置換スチレン、不飽和エステル、例えば、アクリレート、メタクリレート、およびビニルエステル、フマレートエステル、イタコネートエステル、無水マレイン酸、およびジエン化合物、ならびにこれらの誘導体から選択される、１種または複数のα，β−不飽和モノマーに由来する構造単位の鎖を含み、ポリマーＢは、このような不飽和モノマーとアルケンとの、例えば、Ｃ2−Ｃ8、好ましくはＣ2−Ｃ6アルケンとの、コポリマーを含んでいてもよく、
ポリマーＡおよびポリマーＢは、コポリマーが、次の構造：
【化２】
2018529011.tif 000002
［式中、ＲおよびＲ1は、同じであっても異なっていてもよく、それぞれ、独立に、アルキルまたはアリール基を表し、Ｘは、水素であっても、分岐状または直鎖であり得るＣ1−Ｃ20アルキル基であってもよく、ポリマーＢに接合した芳香族環置換基は、ポリマーＡに接合した芳香族環置換基に対してメタまたはパラの位置にある］
を有するように、末端で接合されている、
請求項１から３までのいずれか１項に記載の使用。
【請求項５】
ＲおよびＲ1が、どちらも、１〜４個の炭素原子を有するアルキル基である、請求項１から４までのいずれか１項に記載の使用。
【請求項６】
ポリマーＢに接合した芳香族環置換基が、ポリマーＡに接合した芳香族環置換基に対してメタの位置にある、請求項１から５までのいずれか１項に記載の使用。
【請求項７】
ポリマーと、次の構造：
【化３】
2018529011.tif 000003
［式中、ＲおよびＲ1は、同じであるか、または異なり、それぞれ、独立に、アルキルまたはアリール基を表し、Ｘは、水素であっても、分岐状または直鎖であり得るＣ1−Ｃ20アルキル基であってもよく、ポリマーＢに接合した芳香族環置換基は、ポリマーＡに接合した芳香族環置換基に対してメタまたはパラの位置にあり、ポリマーＡは、メタロセン触媒作用によって生成された非極性ポリマーであり、ポリマーＢは、極性モノマーのラジカル触媒作用によって生成されたポリマーである］
を有する材料とを含む混合物。
【請求項８】
ｉ）ポリマーＡが、エチレンより高級な１−アルケンコモノマーと共重合されていてもよい、エチレン性構造単位の鎖を含み、
ｉｉ）ポリマーＢが、スチレン、置換スチレン、不飽和エステル、例えば、アクリレート、メタクリレート、およびジエン化合物、およびビニルエステル、フマレートエステル、イタコネートエステル、無水マレイン酸、ならびにこれらの誘導体から選択される、１種または複数のα，β−不飽和モノマーから誘導され、ポリマーＢは、このような不飽和モノマーとアルケンとの、例えば、Ｃ2−Ｃ8、好ましくはＣ2−Ｃ6アルケンとの、コポリマーを含んでいてもよい、
請求項７に記載の混合物。
【請求項９】
ポリマーが、ポリマー材料の混合物を含む、請求項７または８に記載の混合物。
【手続補正２】
【補正対象書類名】明細書
【補正対象項目名】００５３
【補正方法】変更
【補正の内容】
【００５３】
左側の写真は、本発明のＰＥ−ｂ−ＰＳ添加剤が加えられている。写真は、５％の新規なブロックコポリマーＰＥ−ｂ−ＰＳが添加された時の、より高い一定性を示す。ＰＥは、今度は、より一様に分布している。連続相はＰＳである。そのマトリックス内に、ＰＥは、ずっとより一様に分布しており、加工および凍結破砕は、より柔軟なＰＥストランドの一部を、新たに破砕された表面から、引き出したが、それらは、依然としてマトリックス内にしっかりと結ばれている。
図内の説明は、ＳＥＭで１０００倍の倍率で、右側の写真を得るために使用された条件を示す。左側の写真は、同じ条件下であるが４００倍の倍率で得られ、このフレームでは、右側の写真と同じスケールになるように、大きさが調節された。
次に、本発明の好ましい態様を示す。
１．  次の構造：
【化１】
2018529011.tif 000004
［式中、ＲおよびＲ1は、同じであっても異なっていてもよく、それぞれ、独立に、アルキルまたはアリール基を表し、Ｘは、水素であっても、分岐状または直鎖であり得るＣ1−Ｃ20アルキル基であってもよく、ポリマーＢに接合した芳香族環置換基は、ポリマーＡに接合した芳香族環置換基に対してメタまたはパラの位置にあり、ポリマーＡは、メタロセン触媒作用によって生成された非極性ポリマーであり、ポリマーＢは、極性モノマーのラジカル触媒作用によって生成されたポリマーである］
を有する材料の、ポリマーへの添加剤としての使用。
２．  ｉ）ポリマーＡが、エチレンより高級な１−アルケンコモノマーが共重合されていてもよい、エチレン性構造単位の鎖を含み、
ｉｉ）ポリマーＢが、スチレン、置換スチレン、不飽和エステル、例えば、アクリレート、メタクリレート、およびジエン化合物、およびビニルエステル、フマレートエステル、イタコネートエステル、無水マレイン酸、ならびにこれらの誘導体から選択される、１種または複数のα，β−不飽和モノマーから誘導され、ポリマーＢは、このような不飽和モノマーと、アルケンとの、例えば、Ｃ2−Ｃ8、好ましくはＣ2−Ｃ6アルケンとの、コポリマーを含んでいてもよい、
上記１に記載の使用。
３．  ポリマー材料の混合物における相溶化剤としての、または、表面活性／界面活性剤としての、上記１または２に記載の使用。
４．  ポリマー材料の混合物が、極性および非極性材料の混合物、または様々な極性のポリマー材料の混合物を含む、上記３に記載の使用。
５．  混合物が、ポリオレフィンと、エステル基含有材料との、例えば、ポリエスエテル、または、オレフィンとビニルアセテートもしくはアクリレートエステルのコポリマーなどのアルケンと不飽和エステルのコポリマーとの、混合物を含む、上記４に記載の使用。
６．  極性コポリマー、例えばオレフィン／不飽和エステルコポリマー、および、炭化水素ブロックコポリマー、例えばスチレンとブタジエンまたはイソプレンのマルチブロックコポリマー（これらは水素化されていることもある）をベースとする接着剤配合物における添加剤としての、上記４または５に記載の使用。
７．  ポリマーＡが、エチレンより高級な１−アルケンに由来する単位が組み込まれていてもよいポリエチレン様構造単位の骨格鎖を有する、上記１から６までのいずれか１項に記載の使用。
８．  ｉ）ポリマーＡが、エチレンより高級な１−アルケンコモノマーに由来する１種または複数の構造単位が介在していてもよい、エチレン性構造単位の鎖を含み、
ｉｉ）ポリマーＢが、スチレン、置換スチレン、不飽和エステル、例えば、アクリレート、メタクリレート、およびビニルエステル、フマレートエステル、イタコネートエステル、無水マレイン酸、およびジエン化合物、ならびにこれらの誘導体から選択される、１種または複数のα，β−不飽和モノマーに由来する構造単位の鎖を含み、ポリマーＢは、このような不飽和モノマーとアルケンとの、例えば、Ｃ2−Ｃ8、好ましくはＣ2−Ｃ6アルケンとの、コポリマーを含んでいてもよく、
ポリマーＡおよびポリマーＢは、コポリマーが、次の構造：
【化２】
2018529011.tif 000005
［式中、ＲおよびＲ1は、同じであっても異なっていてもよく、それぞれ、独立に、アルキルまたはアリール基を表し、Ｘは、水素であっても、分岐状または直鎖であり得るＣ1−Ｃ20アルキル基であってもよく、ポリマーＢに接合した芳香族環置換基は、ポリマーＡに接合した芳香族環置換基に対してメタまたはパラの位置にある］
を有するように、末端で接合されている、
上記１から７までのいずれか１項に記載の使用。
９．  ＲおよびＲ1が、どちらも、１〜４個の炭素原子を有するアルキル基である、上記１から８までのいずれか１項に記載の使用。
１０．  ポリマーＢに接合した芳香族環置換基が、ポリマーＡに接合した芳香族環置換基に対してメタの位置にある、上記１から９までのいずれか１項に記載の使用。
１１．  ポリマーＢが、スチレン、置換スチレン、アクリレートおよびメタクリレートエステル、ジエン化合物、ビニルエステル、フマレートエステル、イタコネートエステルおよび無水マレイン酸、ならびにこれらの誘導体から選択される、１種または複数のα，β−不飽和モノマーに由来する構造単位の鎖を含み、ポリマーＢは、このような不飽和モノマーとアルケンとの、例えば、Ｃ2−Ｃ8、好ましくはＣ2−Ｃ6アルケンとの、コポリマーを含んでいてもよい、上記１から１０までのいずれか１項に記載の使用。
１２．  ポリオレフィンをベースとするポリマー系の硬度（例えば、針貫入）または剛性（例えば割線弾性係数）を変えるための、上記１から１１までのいずれか１項に記載の使用。
１３．  １種または複数のポリマーの表面または界面に、表面または界面活性を付与するための、上記１または２に記載の使用。
１４．  ＲおよびＲ1が、１〜４個の炭素原子を有するアルキル基である、上記１３に記載の使用。
１５．  ポリマーＢに接合した芳香族環置換基が、ポリマーＡに接合した芳香族環置換基に対してメタの位置にある、上記１３または１４に記載の使用。
１６．  ポリマーＢが、スチレン、置換スチレン、アクリレートおよびメタクリレートエステル、ジエン化合物、ビニルエステル、フマレートエステル、イタコネートエステル、および無水マレイン酸、ならびにこれらの誘導体から選択される、１種または複数のα，β−不飽和モノマーに由来し、Ｃ2−Ｃ8アルケンが共重合されていてもよい、構造単位の鎖からなる、上記１３から１５までのいずれか１項に記載の使用。
１７．  シール可能、印刷可能または塗装可能な表面を、ポリオレフィンフィルムまたはコーティングに付与するための、上記１３から１６までのいずれか１項に記載の使用。
１８．  ポリマーＡがポリオレフィンであり、ポリマーＢが、スチレンもしくはその誘導体、またはメタクリレートなどのエステルから誘導される、上記１から１７までのいずれか１項に記載の使用。
１９．  高分子量ワックスのための硬化剤または軟化剤としての（例えば、針貫入によって測定して）、上記１から１８までのいずれか１項に記載の使用。
２０．  シール可能、印刷可能または塗装可能な表面を、ポリオレフィンフィルムまたはコーティングに付与するための、上記１３から１９までのいずれか１項に記載の使用。
２１．  ポリマーと、次の構造：
【化３】
2018529011.tif 000006
［式中、ＲおよびＲ1は、同じであるか、または異なり、それぞれ、独立に、アルキルまたはアリール基を表し、Ｘは、水素であっても、分岐状または直鎖であり得るＣ1−Ｃ20アルキル基であってもよく、ポリマーＢに接合した芳香族環置換基は、ポリマーＡに接合した芳香族環置換基に対してメタまたはパラの位置にあり、ポリマーＡは、メタロセン触媒作用によって生成された非極性ポリマーであり、ポリマーＢは、極性モノマーのラジカル触媒作用によって生成されたポリマーである］
を有する材料とを含む混合物。
２２．  ｉ）ポリマーＡが、エチレンより高級な１−アルケンコモノマーと共重合されていてもよい、エチレン性構造単位の鎖を含み、
ｉｉ）ポリマーＢが、スチレン、置換スチレン、不飽和エステル、例えば、アクリレート、メタクリレート、およびジエン化合物、およびビニルエステル、フマレートエステル、イタコネートエステル、無水マレイン酸、ならびにこれらの誘導体から選択される、１種または複数のα，β−不飽和モノマーから誘導され、ポリマーＢは、このような不飽和モノマーとアルケンとの、例えば、Ｃ2−Ｃ8、好ましくはＣ2−Ｃ6アルケンとの、コポリマーを含んでいてもよい、
上記２１に記載の混合物。
２３．  ポリマーが、ポリマー材料の混合物を含む、上記２１または２２に記載の混合物。
２４．  ポリマー材料の混合物が、極性および非極性材料の混合物、または様々な極性のポリマー材料の混合物を含む、上記２３に記載の混合物。
２５．  混合物が、ポリオレフィンと、エステル基含有材料との、例えば、ポリエスエテル、または、オレフィンとビニルアセテートもしくはアクリレートエステルのコポリマーなどのアルケンと不飽和エステルのコポリマーとの、混合物を含む、上記２４に記載の混合物。
２６．  ポリマーＡが、エチレンより高級な１−アルケンに由来する単位が骨格鎖に組み込まれていてもよい、ポリエチレン様構造単位の骨格鎖を有する、上記２１から２５までのいずれか１項に記載の混合物。
２７．  ポリマーＢに接合した芳香族環置換基が、ポリマーＡに接合した芳香族環置換基に対してメタの位置にある、上記２１から２６までのいずれか１項に記載の混合物。
２８．  ポリマーが、リサイクルポリマーを含む、上記２１から２７までのいずれか１項に記載の混合物。
２９．  前記ポリマーが、少なくとも２種のリサイクルポリマーを含む、上記２８に記載の混合物。